(57)【要約】【課題】オンライン通運機能の追加に手間が掛からず、オンライン通信機能の追加に際してモデム新設費用が発生しないオンライン通信機能を備える自動販売機を提供する。【解決手段】単数又は複数のデータ通信用コントローラと、通信回線分岐装置と、単一のデータ通信用モデムとを備え、通信回線分岐装置は、複数のデータ通信用コントローラを択一的に単一のデータ通信用モデムに接続可能である。【選択図】  図１
2005043945.tif 000002
【特許請求の範囲】
【請求項１】
単数又は複数のデータ通信用コントローラと、通信回線分岐装置と、単一のデータ通信用モデムとを備え、通信回線分岐装置は、複数のデータ通信用コントローラを択一的に単一のデータ通信用モデムに接続可能であることを特徴とする自動販売機。
【請求項２】
複数のデータ通信用コントローラを単一のデータ通信用モデムに択一的に接続することを特徴とする通信回線分岐装置。
【請求項３】
前記複数のデータ通信用コントローラは単一又は複数の自動販売機に設置されていることを特徴とする請求項２に記載の通信回線分岐装置。
【請求項４】
通信センターに配設されたプログラマブルコントローラからの接続先要求信号に基づいて、前記単一のデータ通信用モデムに接続するデータ通信用コントローラを前記複数のデータ通信用コントローラの中から選択することを特徴とする請求項２又は３に記載の通信回線分岐装置。
【請求項５】
通信センターに配設されたプログラマブルコントローラからの接続先要求信号に基づいて、前記単一のデータ通信用モデムに接続するデータ通信用コントローラを前記複数のデータ通信用コントローラの中から順次選択することを特徴とする請求項２又は３に記載の通信回線分岐装置。
【請求項６】
前記単一のデータ通信用モデムは、複数のプログラマブルコントローラに接続されていることを特徴とする請求項２乃至５の何れか１項に記載の通信回線分岐装置。
【請求項７】
前記複数のデータ通信用コントローラからの接続要求が競合した場合、最先に接続要求をしたデータ通信用コントローラを前記単一のデータ通信用モデムに接続することを特徴とする請求項２乃至６の何れか１項に記載の通信回線分岐装置。
【発明の詳細な説明】
【０００１】
【発明の属する技術分野】
本発明は、オンライン通信機能を備える自動販売機に関するものである。
【０００２】
【従来の技術】
オンライン通信機能を備える自動販売機が特許文献１等に開示されている。
【０００３】
【特許文献１】特開平１０−６３９２６号公報
【０００４】
【発明が解決しようとする課題】
市場要求により、オンライン通信機能を備える既設の自動販売機に、新たなオンライン通信機能を追加する必要を生ずる場合がある。かかる場合、既存のデータ通信用コントローラを改造して追加される通信機能のデータ通信もできるようにする、追加される通信機能用のデータ通信用コントローラと当該コントローラを接続するモデムとを新設する等の対策が考えられる。前者には通信用コントローラを改造するので新たなオンライン通信機能の追加に手間が掛かる、後者にはモデムの新設費が発生するという問題がある。
本発明は上記問題に鑑みてなされたものであり、オンライン通運機能の追加に手間が掛からず、オンライン通信機能の追加に際してモデム新設費用が発生しないオンライン通信機能を備える自動販売機を提供することを目的とする。
【０００５】
【課題を解決するための手段】
上記課題を解決するために、本発明においては、単数又は複数のデータ通信用コントローラと、通信回線分岐装置と、単一のデータ通信用モデムとを備え、通信回線分岐装置は、複数のデータ通信用コントローラを択一的に単一のデータ通信用モデムに接続可能であることを特徴とする自動販売機を提供する。
本発明に係る自動販売機においては、複数のデータ通信用コントローラを択一的に単一のデータ通信用モデムに接続可能な通信回線分岐装置を配設したので、新たな通信機能を追加する場合、追加される通信機能用のデータ通信用コントローラを通信回線分岐装置に接続すれば良く、データ通信用コントローラを改造する必要も無ければモデムを追加する必要も無い。従って本発明に係る自動販売機は、オンライン通運機能の追加に手間が掛からず、オンライン通信機能の追加に際してモデム新設費用が発生しない。
【０００６】
本発明においては、複数のデータ通信用コントローラを単一のデータ通信用モデムに択一的に接続することを特徴とする通信回線分岐装置を提供する。
本発明に係る通信回線分岐装置は、オンライン通信機能を備える自動販売機に新たなオンライン通信機能を追加する際の手間を軽減させ、モデム新設費の発生を阻止する。
【０００７】
本発明の好ましい態様においては、前記複数のデータ通信用コントローラは単一又は複数の自動販売機に設置されている。
単一の自動販売機に設置された複数のデータ通信用コントローラを単一のデータ通信用モデムに択一的に接続しても良く、或いは複数の自動販売機に設置された単一又は複数のデータ通信用コントローラを単一のデータ通信用モデムに択一的に接続しても良い。
【０００８】
本発明の好ましい態様においては、通信回線分岐装置は、通信センターに設置されたプログラマブルコントローラからの接続先指定信号に基づいて、前記単一のデータ通信用モデムに接続するデータ通信用コントローラを前記複数のデータ通信用コントローラの中から選択する。
本発明の好ましい態様においては、通信回線分岐装置は、通信センターに設置されたプログラマブルコントローラからの接続先指定信号に基づいて、前記単一のデータ通信用モデムに接続するデータ通信用コントローラを前記複数のデータ通信用コントローラの中から順次選択する。
通信センターに設置されたプログラマブルコントローラからデータ通信用コントローラへ通信する場合、プログラマブルコントローラからの通信に含まれる接続先指定信号に基づいて前記単一のデータ通信用モデムに接続するデータ通信用コントローラを前記複数のデータ通信用コントローラの中から選択すれば良い。
通信センターに設置されたプログラマブルコントローラからデータ通信用コントローラへ通信する場合、プログラマブルコントローラからの通信に含まれる接続先指定信号に基づいて、前記単一のデータ通信用モデムに接続するデータ通信用コントローラを前記複数のデータ通信用コントローラの中から順次選択し、異なるデータ通信用コントローラに順次プログラマブルコントローラからの通信を伝えても良い。
【０００９】
本発明の好ましい態様においては、前記単一のデータ通信用モデムは、複数のプログラマブルコントローラに接続されている。
前記単一のデータ通信用モデムを、複数のプログラマブルコントローラに接続することにより、データ通信用コントローラと複数のプログラマブルコントローラとの通信が可能になる。
【００１０】
本発明の好ましい態様においては、前記複数のデータ通信用コントローラからの接続要求が競合した場合、通信回線分岐装置は、最先に接続要求をしたデータ通信用コントローラを前記単一のデータ通信用モデムに接続する。
前記複数のデータ通信用コントローラからの接続要求が競合した場合には、最先に接続要求をしたデータ通信用コントローラを前記単一のデータ通信用モデムに接続すれば良い。
【００１１】
【発明の実施の形態】
本発明の実施例に係る自動販売機を説明する。
図１に示すように、本発明の実施例に係る自動販売機１は、自動販売用の図示しない種々の機能部材と、前記の種々機能部材の作動を制御する自販機コントローラ２と、売上集計データ、故障管理データのオンライン通信機能用コントローラＡと、配信ニュースデータのオンライン通信機能用コントローラＢと、キャッシュレス決済データのオンライン通信機能用コントローラＣと、販売チケットデータのオンライン通信機能用コントローラＤと、接続ポートＡ１、Ｂ１、Ｃ１、Ｄ１、Ｅ１を有する通信回線分岐装置３と、モデム４とを備えている。オンライン通信機能用コントローラＡは自販機コントローラ２に接続され、オンライン通信機能用コントローラＢに表示装置Ｂ′が接続され、オンライン通信機能用コントローラＤにチケット出力装置Ｄ′が接続されている。オンライン通信機能用コントローラＡ〜Ｄは通信回線分岐装置３の接続ポートＡ１〜Ｄ１に接続されている。通信回線分岐装置３の接続ポートＥ１はモデム４に接続されている。
モデム４は、一般電話網１００を介して自販機設置業者の通信センターに設置されたプログラマブルコントローラ２００に接続されている。
自動販売機１とセンターのプログラマブルコントローラ２００との間の通信は、自販機工業会仕様に基づいて行われる。
【００１２】
図２に示すように、通信回線分岐装置３の接続ポートＡ１〜Ｄ１にそれぞれ配設された複数の通信線中、オンライン通信機能用コントローラＡ〜Ｄからモデム４へのデータ送信信号線αは、それぞれ対峙するａｎｄ回路３１の一方の入力端子に接続している。各ａｎｄ回路３１の出力端子はそれぞれ接続ポートＥ１に接続している。通信回線分岐装置３の接続ポートＥ１に配設された複数の通信線中、モデム４からオンライン通信機能用コントローラＡ〜Ｄへのデータ送信信号線βは、接続ポートＡ１〜Ｄ１に対峙する４本の通信線に分岐し、それぞれ対峙するａｎｄ回路３２の一方の入力端子に接続している。接続ポートＡ１〜Ｄ１に対峙する４本の通信線にそれぞれ接続するａｎｄ回路３２の出力端子は、接続ポートＡ１〜Ｄ１Ｅ１に接続している。
ａｎｄ回路３１、３２の他方の入力端子は、それぞれ対峙するｏｒ回路３３、３４の出力端子に接続されている。
通信回線分岐装置３は、接続ポートＡ１〜Ｄ１に接続されたオンライン通信機能用コントローラＡ〜Ｄから入力される複数の送信要求信号中何れの送信要求信号が最先であったかを判定する先着判定回路３５と、接続ポートＥ１に接続されたモデム４から入力されるプログラマブルコントローラ２００からのデータ通信信号に含まれる接続先要求コマンドが、Ａ〜Ｄ中の何れのオンライン通信機能用コントローラとの接続を要求しているかを判定する接続先要求コマンド判定回路３６とを有している。
ｏｒ回路３３、３４の二つの入力端子は、先着判定回路３５と接続先要求コマンド判定回路３６とに接続されている。
【００１３】
自動販売機１の作動を説明する。
自動販売機１からセンターのプログラマブルコントローラ２００へ通信する場合であって、オンライン通信機能用コントローラＡ〜Ｄが発信した送信要求信号が競合した場合、先着判定回路３５は、何れのオンライン通信機能用コントローラが発信した送信要求信号が最先であったかを判定し、最先に送信要求信号を発信したオンライン通信機能用コントローラが接続する接続ポートのｏｒ回路３３の、先着判定回路３５が接続する入力端子にＯＮ信号を印加し、最先に送信要求信号を発信したオンライン通信機能用コントローラが接続する接続ポートに対峙するｏｒ回路３４の、先着判定回路３５が接続する入力端子にＯＮ信号を印加する。この結果、最先に送信要求信号を発信したオンライン通信機能用コントローラが接続する接続ポートと接続ポートＥ１とが、双方向に接続され、ひいては最先に送信要求信号を発信したオンライン通信機能用コントローラとモデム４とが双方向に接続される。最先に送信要求信号を発信したオンライン通信機能用コントローラは、モデム４と一般電話網１００とを介して、自販機設置業者の通信センターに設置されたプログラマブルコントローラ２００と交信し、データの授受を行う。
何れか一つのオンライン通信機能用コントローラのみが送信要求信号を発信した場合、先着判定回路３５は、当該オンライン通信機能用コントローラが最先に送信要求信号を発信したものと判定し、当該オンライン通信機能用コントローラが接続する接続ポートのｏｒ回路３３の、先着判定回路３５が接続する入力端子にＯＮ信号を印加し、且つ当該オンライン通信機能用コントローラが接続する接続ポートに対峙するｏｒ回路３４の、先着判定回路３５が接続する入力端子にＯＮ信号を印加して、当該オンライン通信機能用コントローラとモデム４とを双方向に接続する。
【００１４】
通信センターに設置されたプログラマブルコントローラ２００から自動販売機１へ通信する場合には、接続先要求コマンド判定回路３６は、モデム４から入力されたプログラマブルコントローラ２００からのデータ通信信号に含まれる接続先要求コマンドが、Ａ〜Ｄ中の何れのオンライン通信機能用コントローラとの接続を要求しているかを判定し、接続先要求コマンドが接続を要求しているオンライン通信機能用コントローラが接続する接続ポートに対峙するｏｒ回路３４の、接続先要求コマンド判定回路３６が接続する入力端子にＯＮ信号を印加し、接続先要求コマンドが接続を要求しているオンライン通信機能用コントローラが接続する接続ポートのｏｒ回路３３の、接続先要求コマンド判定回路３６が接続する入力端子にＯＮ信号を印加する。この結果、接続先要求コマンドが接続を要求しているオンライン通信機能用コントローラが接続する接続ポートと接続ポートＥ１とが、双方向に接続され、ひいては接続先要求コマンドが接続を要求しているオンライン通信機能用コントローラとモデム４とが双方向に接続される。プログラマブルコントローラ２００は、一般電話網１００とモデム４とを介して、接続先要求コマンドが接続を要求しているオンライン通信機能用コントローラと交信し、データの授受を行う。
プログラマブルコントローラ２００と所定のオンライン通信機能用コントローラとの通信終了後、モデム４とプログラマブルコントローラ２００との接続が切断されることなく、引き続いてプログラマブルコントローラ２００から他のオンライン通信機能用コントローラへの通信がある場合には、接続先要求コマンド判定回路３６は、モデム４から入力されたプログラマブルコントローラ２００からのデータ通信信号に含まれる接続先要求コマンドに基づいて、Ａ〜Ｄ中の何れかのオンライン通信機能用コントローラをモデム４に接続する。プログラマブルコントローラ２００と複数のオンライン通信機能用コントローラとの間の通信が、直列に連続して行われる。
【００１５】
自動販売機１においては、通信分岐装置３が配設されているので、例えば出荷時には売上集計データ、故障管理データのオンライン通信機能とオンライン通信機能用コントローラＡとのみを備えており、市場要求の変化に伴って、配信ニュースデータのオンライン通信機能と、キャッシュレス決済データのオンライン通信機能と、販売チケットデータのオンライン通信機とを追加する場合、オンライン通信機能用コントローラＢ、Ｃ、Ｄを通信分岐装置の接続ポートＢ１、Ｃ１、Ｄ１に接続すれば良く、既存のオンライン通信機能用コントローラＡを改造する必要も無ければモデム４を追加配設する必要も無い。従って本実施例に係る自動販売機は、オンライン通信機能の追加に手間が掛からず、オンライン通信機能の追加に際してモデム新設費用が発生しない。
【００１６】
図３に示すように、単一のオンライン通信機能、例えば売上集計データ、故障管理データのオンライン通信機能のみを有する複数の自動販売機１′を、通信分岐装置３を介して択一的に単一のモデム４に接続しても良い。モデム４を複数設置することなく、複数の自動販売機１′と通信センターに設置されたプログラマブルコントローラ２００との間のデータ通信が可能になる。
【００１７】
図１、３で一点鎖線で示すように、モデム４を一般電話網１００を介して、自販機設置業者の通信センターに設置されたプログラマブルコントローラ２００に接続すると共に、前記通信センター又は他の通信センターに設置されたプログラマブルコントローラ２００′に接続しても良い。複数のプログラマブルコントローラと複数のオンライン通信機能用コントローラとの通信が可能になる。
【００１８】
【発明の効果】
本発明に係る自動販売機においては、複数のデータ通信用コントローラを択一的に単一のデータ通信用モデムに接続可能な通信回線分岐装置を配設したので、新たな通信機能を追加する場合、追加される通信機能用のデータ通信用コントローラを通信回線分岐装置に接続すれば良く、データ通信用コントローラを改造する必要も無ければモデムを追加する必要も無い。従って本発明に係る自動販売機は、オンライン通運機能の追加に手間が掛からず、オンライン通信機能の追加に際してモデム新設費用が発生しない。
【図面の簡単な説明】
【図１】本発明の実施例に係る自動販売機の制御ブロック図である。
【図２】本発明の実施例に係る自動販売機が備える通信分岐装置の結線図である。
【図３】本発明の実施例に係る通信分岐装置を共用する自動販売機群の制御ブロック図である。
【符号の説明】
１、１′  自動販売機
２  自販機コントローラ
３  通信分岐装置
４  モデム
３１、３２  ａｎｄ回路
３３、３４  ｏｒ回路
３５  先着判定回路
３６  接続先要求コマンド判定回路
α  オンライン通信機能用コントローラからモデムへのデータ送信信号線
β  モデムからオンライン通信機能用コントローラへのデータ通信信号線
Ａ、Ｂ、Ｃ、Ｄ  オンライン通信機能用コントローラ
Ｂ′  表示装置
Ｄ′  チケット出力装置
１００  一般電話網
２００、２００′  プログラマブルコントローラ
【図１】
2005043945.tif 000003
【図２】
2005043945.tif 000004
【図３】
2005043945.tif 000005